(57)【要約】【課題】選択的に電波に基づく信号を電力に変換して、電波資源の有効活用を図ることが可能な、電波電力回収装置、電波電力回収方法、および電波電力回収システムを提供する。【解決手段】電波に基づく信号が伝達され、電波に基づく信号を処理させるか、電波に基づく信号を電力に変換させるかを切り換える切り換え部と、切り換え部から電波に基づく信号が伝達された場合に、電波に基づく信号を電力に変換する変換部と、を備える、電波電力回収装置が提供される。【選択図】図１
2014039392.tif 000002
【特許請求の範囲】
【請求項１】
電波に基づく信号が伝達され、前記電波に基づく信号を処理させるか、前記電波に基づく信号を電力に変換させるかを切り換える切り換え部と、
前記切り換え部から前記電波に基づく信号が伝達された場合に、前記電波に基づく信号を電力に変換する変換部と、
を備える、電波電力回収装置。
【請求項２】
前記切り換え部は、前記電波に基づく信号を処理する外部装置の物理的な接続状態に基づいて、前記電波に基づく信号を処理させるか、前記電波に基づく信号を電力に変換させるかを切り換える、請求項１に記載の電波電力回収装置。
【請求項３】
前記切り換え部は、
前記電波に基づく信号を処理する外部装置の物理的な接続が検出された場合には、前記電波に基づく信号を前記外部装置へと出力して、前記外部装置に前記電波に基づく信号を処理させ、
前記電波に基づく信号を処理する外部装置の物理的な接続が検出されない場合には、前記変換部に前記電波に基づく信号を伝達して、前記電波に基づく信号を電力に変換させる、請求項２に記載の電波電力回収装置。
【請求項４】
前記切り換え部は、前記電波に基づく信号を処理する外部装置から送信される制御信号に基づいて、前記電波に基づく信号を処理させるか、前記電波に基づく信号を電力に変換させるかを切り換える、請求項１に記載の電波電力回収装置。
【請求項５】
前記切り換え部は、
前記電波に基づく信号を処理することを示す制御信号が受信された場合には、前記電波に基づく信号を前記外部装置へと出力して、前記外部装置に前記電波に基づく信号を処理させ、
前記電波に基づく信号を処理しないことを示す制御信号が受信された場合には、前記変換部に前記電波に基づく信号を伝達して、前記電波に基づく信号を電力に変換させる、請求項４に記載の電波電力回収装置。
【請求項６】
前記切り換え部は、自装置の状態を判定し、判定結果に基づいて、前記電波に基づく信号を処理させるか、前記電波に基づく信号を電力に変換させるかを切り換える、請求項１に記載の電波電力回収装置。
【請求項７】
前記電波に基づく信号を処理する処理部をさらに備え、
前記切り換え部は、
自装置の電源がオン状態であるか、または、自装置の電源がオフ状態であるかを、前記自装置の状態として判定し、
前記オン状態であると判定された場合には、前記電波に基づく信号を前記処理部に伝達して、前記処理部に前記電波に基づく信号を処理させ、
前記オフ状態であると判定された場合には、前記変換部に前記電波に基づく信号を伝達して、前記電波に基づく信号を電力に変換させる、請求項６に記載の電波電力回収装置。
【請求項８】
前記切り換え部は、前記オン状態であると判定された場合において、定期的または非定期的に前記変換部に前記電波に基づく信号を伝達して、前記電波に基づく信号を電力に変換させる、請求項７に記載の電波電力回収装置。
【請求項９】
前記電波に基づく信号を処理する処理部をさらに備え、
前記切り換え部は、前記処理部における処理の状態を前記自装置の状態として判定し、
判定結果に基づいて、前記電波に基づく信号を前記処理部に伝達して、前記処理部に前記電波に基づく信号を処理させる、または、前記変換部に前記電波に基づく信号を伝達して、前記電波に基づく信号を電力に変換させる、請求項６に記載の電波電力回収装置。
【請求項１０】
前記切り換え部は、さらに、自装置の動きの状態に基づいて前記自装置の状態を判定し、
判定結果に基づいて、前記電波に基づく信号を前記処理部に伝達して、前記処理部に前記電波に基づく信号を処理させる、または、前記変換部に前記電波に基づく信号を伝達して、前記電波に基づく信号を電力に変換させる、請求項９に記載の電波電力回収装置。
【請求項１１】
前記変換部において変換された電力を蓄電する蓄電部をさらに備える、請求項１に記載の電波電力回収装置。
【請求項１２】
電波を受信するアンテナをさらに備え、
前記切り換え部には、前記アンテナにおいて受信された電波に基づく信号が伝達される、請求項１に記載の電波電力回収装置。
【請求項１３】
伝達される電波に基づく信号を処理させるか、前記電波に基づく信号を電力に変換させるかを切り換えるステップと、
前記電波に基づく信号を電力に変換させる場合に、前記電波に基づく信号を電力に変換するステップと、
を有する、電波電力回収方法。
【請求項１４】
電波に基づく信号が伝達され、前記電波に基づく信号を処理させるか、前記電波に基づく信号を電力に変換させるかを切り換える、１または２以上の切り換え装置と、
前記電波に基づく信号を電力に変換する変換装置と、
を有し、
前記切り換え装置は、前記電波に基づく信号を電力に変換させる場合に、前記変換装置に前記電波に基づく信号を出力し、
前記変換装置は、前記電波に基づく信号が受信された場合に、前記電波に基づく信号を電力に変換する、電波電力回収システム。
【発明の詳細な説明】
【技術分野】
【０００１】
本開示は、電波電力回収装置、電波電力回収方法、および電波電力回収システムに関する。
【背景技術】
【０００２】
アンテナにより受信された様々な周波数の電波を電力に変換する技術が開発されている。上記技術としては、例えば下記の特許文献１に記載の技術が挙げられる。
【先行技術文献】
【特許文献】
【０００３】
【特許文献１】米国特許出願公開第２０１１／０３０９６８６号明細書
【発明の概要】
【発明が解決しようとする課題】
【０００４】
例えば特許文献１に記載の技術では、周波数の異なる電波を同位相にした上で加算して、直流電力に変換する。よって、例えば特許文献１に記載の技術を用いる場合には、アンテナにより受信された電波を電力に変換することは、可能である。
【０００５】
しかしながら、アンテナにより受信される電波は、例えば、通信や、放送、データの送受信など様々な用途に用いられる。そのため、上記のような用途に用いられる電波に基づく信号を、常に電力に変換することは、望ましくない。
【０００６】
本開示では、選択的に電波に基づく信号を電力に変換して、電波資源の有効活用を図ることが可能な、新規かつ改良された電波電力回収装置、電波電力回収方法、および電波電力回収システムを提案する。
【課題を解決するための手段】
【０００７】
本開示によれば、電波に基づく信号が伝達され、上記電波に基づく信号を処理させるか、上記電波に基づく信号を電力に変換させるかを切り換える切り換え部と、上記切り換え部から上記電波に基づく信号が伝達された場合に、上記電波に基づく信号を電力に変換する変換部と、を備える、電波電力回収装置が提供される。
【０００８】
また、本開示によれば、伝達される電波に基づく信号を処理させるか、上記電波に基づく信号を電力に変換させるかを切り換えるステップと、上記電波に基づく信号を電力に変換させる場合に、上記電波に基づく信号を電力に変換するステップと、を有する、電波電力回収方法が提供される。
【０００９】
また、本開示によれば、電波に基づく信号が伝達され、上記電波に基づく信号を処理させるか、上記電波に基づく信号を電力に変換させるかを切り換える、１または２以上の切り換え装置と、上記電波に基づく信号を電力に変換する変換装置と、を有し、上記切り換え装置は、上記電波に基づく信号を電力に変換させる場合に、上記変換装置に上記電波に基づく信号を出力し、上記変換装置は、上記電波に基づく信号が受信された場合に、上記電波に基づく信号を電力に変換する、電波電力回収システムが提供される。
【発明の効果】
【００１０】
本開示によれば、選択的に電波に基づく信号を電力に変換して、電波資源の有効活用を図ることができる。
【図面の簡単な説明】
【００１１】
【図１】第１の実施形態に係る電波電力回収装置の構成の一例を示すブロック図である。
【図２】第２の実施形態に係る電波電力回収装置の構成の一例を示すブロック図である。
【図３】第３の実施形態に係る電波電力回収装置の構成の一例を示すブロック図である。
【図４】第３の実施形態に係る電波電力回収装置が備える切り換え部における判定処理の一例を示す流れ図である。
【図５】本実施形態に係る電波電力回収システムの構成の一例を示す説明図である。
【図６】本実施形態に係る電波電力回収方法の適用例を示す説明図である。
【発明を実施するための形態】
【００１２】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１３】
また、以下では、下記に示す順序で説明を行う。
１．本実施形態に係る電波電力回収方法
２．本実施形態に係る電波電力回収装置
３．本実施形態に係る電波電力回収システム
４．本実施形態に係る電波電力回収方法の適用例
【００１４】
（本実施形態に係る電波電力回収方法）
本実施形態に係る電波電力回収装置の構成と、本実施形態に係る電波電力回収システムの構成とについて説明する前に、まず、本実施形態に係る電波電力回収方法について説明する。以下では、本実施形態に係る電波電力回収装置が、本実施形態に係る電波電力回収方法に係る処理を行う場合を例に挙げて、本実施形態に係る電波電力回収方法について説明する。
【００１５】
上述したように、例えば、通信や放送など様々な用途に用いられる電波に基づく信号を、常に電力に変換することは、望ましくない。
【００１６】
そこで、本実施形態に係る電波電力回収装置は、アンテナなどにより受信された電波に基づく信号を、選択的に電力に変換して、電波資源の有効活用を図る。より具体的には、本実施形態に係る電波電力回収装置は、下記に示す（１）切り換え処理、および（２）変換処理を行うことによって、選択的に電波に基づく信号を電力に変換する。
【００１７】
（１）切り換え処理
本実施形態に係る電波電力回収装置は、電波を受信したアンテナなどから伝達される電波に基づく信号を処理させるか、当該電波に基づく信号を電力に変換させるかを切り換える。
【００１８】
（１−１）切り換え処理の第１の例
本実施形態に係る電波電力回収装置は、例えば、電波に基づく信号を処理する外部装置の物理的な接続状態に基づいて、電波に基づく信号を処理させるか、電波に基づく信号を電力に変換させるかを切り換える。
【００１９】
ここで、本実施形態に係る電波に基づく信号を処理する外部装置の物理的な接続状態としては、例えば、本実施形態に係る電波電力回収装置が備える電波に基づく信号を出力する側の端子（例えば、ジャックなど）に、同軸線などの信号線が接続されている状態と、当該電波に基づく信号を出力する側の端子に、当該信号線が接続されていない状態とが挙げられる。例えば、電波に基づく信号を出力する側の端子に信号線が接続されている状態が、電波に基づく信号を処理する外部装置が接続されている状態に対応する。また、例えば、電波に基づく信号を出力する側の端子に信号線が接続されていない状態が、電波に基づく信号を処理する外部装置が接続されていない状態に対応する。
【００２０】
本実施形態に係る電波電力回収装置は、例えば、電波に基づく信号を出力する側の端子への信号線の接続状態に基づいて、電波に基づく信号を処理する外部装置を検出して、電波に基づく信号を処理させるか、電波に基づく信号を電力に変換させるかを切り換える。
【００２１】
より具体的には、本実施形態に係る電波電力回収装置は、例えば、電波に基づく信号を処理する外部装置の物理的な接続が検出された場合、すなわち、電波に基づく信号を処理する外部装置が接続されている状態である場合には、電波に基づく信号を当該外部装置へと出力して、当該外部装置に電波に基づく信号を処理させる。また、本実施形態に係る電波電力回収装置は、電波に基づく信号を処理する外部装置の物理的な接続が検出されない場合、すなわち、電波に基づく信号を処理する外部装置が接続されていない状態である場合には、後述する（２）の処理（変換処理）によって、電波に基づく信号を電力に変換させる。
【００２２】
ここで、上記のように電波に基づく信号を処理する外部装置が接続されていない状態である場合には、伝達される電波に基づく信号は処理されない。そのため、既存の装置やシステムでは、上記のように電波に基づく信号を処理する外部装置が接続されていない状態である場合には、電波に基づく信号は、捨てられていた。
【００２３】
これに対して、第１の例に係る切り換え処理を行う本実施形態に係る電波電力回収装置は、例えば上記のように、電波に基づく信号を処理する外部装置の物理的な接続状態に基づいて、電波に基づく信号を処理する外部装置が接続されていない状態である場合に、電波に基づく信号を電力に変換させる。
【００２４】
したがって、本実施形態に係る電波電力回収装置が、（１）の処理（切り換え処理）において、電波に基づく信号を処理する外部装置の物理的な接続状態に基づいて、電波に基づく信号を処理させるか、電波に基づく信号を電力に変換させるかを切り換えることによって、本実施形態に係る電波電力回収装置では、既存の装置やシステムにおいて捨てられていた電波に基づく信号（電波資源）を、電力として有効活用することができる。
【００２５】
（１−２）切り換え処理の第２の例
本実施形態に係る電波電力回収装置は、例えば、電波に基づく信号を処理する外部装置から送信される制御信号に基づいて、電波に基づく信号を処理させるか、電波に基づく信号を電力に変換させるかを切り換える。
【００２６】
ここで、本実施形態に係る制御信号としては、例えば、電波に基づく信号を処理するか、電波に基づく信号を処理しないかを示す信号が挙げられる。本実施形態に係る制御信号は、例えば、信号レベル（ハイレベル／ローレベル）によって、電波に基づく信号を処理するか、電波に基づく信号を処理しないかを示す。なお、本実施形態に係る制御信号は、信号レベルにより電波に基づく信号を処理するか、電波に基づく信号を処理しないかを示す信号に限られない。例えば、本実施形態に係る制御信号は、電波に基づく信号を処理するか、電波に基づく信号を処理しないかを示すフラグデータや、ビットデータであってもよい。
【００２７】
より具体的には、本実施形態に係る電波電力回収装置は、例えば、電波に基づく信号を処理することを示す制御信号が受信された場合には、電波に基づく信号を、電波に基づく信号を処理する外部装置へと出力して、当該外部装置に電波に基づく信号を処理させる。また、本実施形態に係る電波電力回収装置は、例えば、電波に基づく信号を処理しないことを示す制御信号が受信された場合には、後述する（２）の処理（変換処理）によって、電波に基づく信号を電力に変換させる。
【００２８】
ここで、電波に基づく信号を処理する外部装置は、例えば、電源がオン状態の場合など、電波に基づく信号を処理することが可能な状態の場合に、電波に基づく信号を処理することを示す制御信号を、本実施形態に係る電波電力回収装置へと送信する。また、電波に基づく信号を処理する外部装置は、例えば、電源がオフ状態の場合など、電波に基づく信号を処理することが可能ではない状態の場合に、電波に基づく信号を処理しないことを示す制御信号を、本実施形態に係る電波電力回収装置へと送信する。
【００２９】
また、電波に基づく信号を処理する外部装置は、例えば、本実施形態に係る電波電力回収装置との接続に用いられる信号線（例えば、同軸線など）を介して、制御信号を本実施形態に係る電波電力回収装置へと送信する。上記のように、本実施形態に係る電波電力回収装置との接続に用いられる信号線を介して制御信号が送信されることによって、本実施形態に係る電波電力回収装置と電波に基づく信号を処理する外部装置とが信号線により接続されている場合に、本実施形態に係る電波電力回収装置は、制御信号を受信することとなる。
【００３０】
上記のように、本実施形態に係る電波電力回収装置との接続に用いられる信号線を介して制御信号が受信される場合には、本実施形態に係る電波に基づく信号を処理する外部装置が当該信号線を介して接続されている状態である。よって、本実施形態に係る電波電力回収装置が、電波に基づく信号を、制御信号が受信される信号線を介して出力することによって、本実施形態に係る電波電力回収装置は、電波に基づく信号を処理する外部装置に、電波に基づく信号を処理させることができる。
【００３１】
なお、電波に基づく信号を処理する外部装置が、制御信号を無線で送信し、本実施形態に係る電波電力回収装置が当該制御信号を無線で受信することが可能であることは、言うまでもない。制御信号が無線で送受信される場合であっても、本実施形態に係る電波電力回収装置が、例えば、さらに、上記（１−１）に示す第１の例に係る切り換え処理と同様に、電波に基づく信号を処理する外部装置の接続状態に基づいて処理を行うことによって、電波に基づく信号を処理する外部装置に、電波に基づく信号を処理させることができ、また、電波に基づく信号を選択的に電力に変換することができる。
【００３２】
第２の例に係る切り換え処理を行う本実施形態に係る電波電力回収装置は、例えば上記のように、電波に基づく信号を処理する外部装置から送信される制御信号に基づいて、電波に基づく信号を処理しないことを示す制御信号が受信された場合に、電波に基づく信号を電力に変換させる。
【００３３】
したがって、本実施形態に係る電波電力回収装置が、（１）の処理（切り換え処理）において、電波に基づく信号を処理する外部装置から送信される制御信号に基づいて、電波に基づく信号を処理させるか、電波に基づく信号を電力に変換させるかを切り換えることによって、本実施形態に係る電波電力回収装置では、既存の装置やシステムにおいて捨てられていた電波に基づく信号（電波資源）を、電力として有効活用することができる。
【００３４】
したがって、本実施形態に係る電波電力回収装置が、（１）の処理（切り換え処理）において、電波に基づく信号を処理する外部装置から送信される制御信号に基づいて、電波に基づく信号を処理させるか、電波に基づく信号を電力に変換させるかを切り換えることによって、本実施形態に係る電波電力回収装置では、既存の装置やシステムにおいて捨てられていた電波に基づく信号（電波資源）を、電力として有効活用することができる。
【００３５】
（１−３）切り換え処理の第３の例
本実施形態に係る電波電力回収装置は、例えば、自装置（本実施形態に係る電波電力回収装置。以下、同様とする。）の状態を判定し、判定結果に基づいて、電波に基づく信号を処理させるか、電波に基づく信号を電力に変換させるかを切り換える。
【００３６】
ここで、本実施形態に係る電波電力回収装置が判定する自装置の状態としては、例えば、自装置の電源がオン状態であるか、または、自装置の電源がオフ状態であるかが挙げられる。本実施形態に係る電源がオン状態とは、例えば、本実施形態に係る電波電力回収装置が備える処理部（後述する）が、電波に基づく信号を処理することが可能な状態に該当し、また、本実施形態に係る電源がオフ状態とは、例えば、処理部（後述する）が、電波に基づく信号を正常に処理することが可能ではない状態に該当する。
【００３７】
なお、本実施形態に係る電波電力回収装置が判定する自装置の状態は、上記自装置の電源に係る状態に限られない。例えば、本実施形態に係る電波電力回収装置は、処理部（後述する）における処理の状態や、処理部（後述する）における処理の状態および自装置の動きの状態に基づいて、自装置の状態を判定することも可能である。
【００３８】
より具体的には、本実施形態に係る電波電力回収装置は、例えば、自装置の電源がオン状態であるか、または、自装置の電源がオフ状態であるかを、自装置の状態として判定する。オン状態であると判定された場合には、処理部（後述する）が電波に基づく信号を処理することが可能な状態であるので、本実施形態に係る電波電力回収装置は、電波に基づく信号を処理部（後述する）に伝達して、処理部（後述する）に電波に基づく信号を処理させる。また、オフ状態であると判定された場合には、処理部（後述する）が電波に基づく信号を正常に処理することが可能ではない状態であるので、後述する（２）の処理（変換処理）によって、電波に基づく信号を電力に変換させる。
【００３９】
第３の例に係る切り換え処理を行う本実施形態に係る電波電力回収装置は、例えば上記のように、自装置の電源がオン状態であるか、または、自装置の電源がオフ状態であるかの判定結果（自装置の状態の判定結果の一例）に基づいて、自装置の電源がオフ状態である場合に、電波に基づく信号を電力に変換させる。
【００４０】
したがって、本実施形態に係る電波電力回収装置が、（１）の処理（切り換え処理）において、自装置の電源がオン状態であるか、または、自装置の電源がオフ状態であるかの判定結果（自装置の状態の判定結果の一例）に基づいて、電波に基づく信号を処理させるか、電波に基づく信号を電力に変換させるかを切り換えることによって、本実施形態に係る電波電力回収装置では、既存の装置やシステムにおいて捨てられていた電波に基づく信号（電波資源）を、電力として有効活用することができる。
【００４１】
なお、本実施形態に係る電波電力回収装置における、自装置の状態に係る判定結果に基づく切り換え処理は、上記に限られない。
【００４２】
例えば、本実施形態に係る電波電力回収装置は、オン状態であると判定された場合において、定期的または非定期的に後述する（２）の処理（変換処理）を行うことによって、電波に基づく信号を電力に変換させてもよい。上記の場合、本実施形態に係る電波電力回収装置は、オン状態であると判定された場合であっても、例えば設定されているタイムスロットに基づいて、電波に基づく信号を電力に変換させる。ここで、上記タイムスロットは、定期的または非定期的に後述する（２）の処理（変換処理）を行うための時間を規定する時間間隔である。上記タイムスロットは、予め設定されていてもよいし、ユーザなどにより適宜設定されたものであってもよい。
【００４３】
また、本実施形態に係る電波電力回収装置は、例えば、処理部（後述する）における処理の状態を自装置の状態として判定し、判定結果に基づいて、電波に基づく信号を処理させるか、電波に基づく信号を電力に変換させるかを切り換えることも可能である。
【００４４】
より具体的には、本実施形態に係る電波電力回収装置は、例えば、ユーザ操作が検出されたか否かに基づいて、処理部（後述する）における処理の状態を判定する。ここで、本実施形態に係る電波電力回収装置は、例えば、ユーザ操作に基づく操作信号が、操作部（後述する）などから伝達された場合に、ユーザ操作が検出されたと判定する。ユーザ操作が検出されたと判定された場合には、本実施形態に係る電波電力回収装置は、処理部（後述する）が処理を行う状態である（または、後述する処理モードである）と判定して、電波に基づく信号を処理部（後述する）に伝達して、処理部（後述する）に電波に基づく信号を処理させる。また、ユーザ操作が検出されたと判定されない場合には、本実施形態に係る電波電力回収装置は、処理部（後述する）が処理を行う状態ではない（または、後述する電波電力回収モードである）と判定して、後述する（２）の処理（変換処理）によって、電波に基づく信号を電力に変換させる。
【００４５】
さらに、本実施形態に係る電波電力回収装置は、例えば、処理部（後述する）における処理の状態および自装置の動きの状態に基づいて、電波に基づく信号を処理させるか、電波に基づく信号を電力に変換させるかを切り換えることも可能である。
【００４６】
より具体的には、本実施形態に係る電波電力回収装置は、例えば、ユーザ操作の検出結果と、振動や加速度、角速度などの自装置の動きに係る検出結果とに基づいて、処理部（後述する）における処理の状態を判定する。例えば、ユーザ操作が検出されたと判定された場合、または、自装置の動きが検出されたと判定された場合には、本実施形態に係る電波電力回収装置は、処理部（後述する）が処理を行う状態であると判定して、電波に基づく信号を処理部（後述する）に伝達して、処理部（後述する）に電波に基づく信号を処理させる。また、例えば、ユーザ操作が検出されたと判定されず、かつ、自装置の動きが検出されたと判定されない場合には、本実施形態に係る電波電力回収装置は、処理部（後述する）が処理を行う状態ではないと判定して、後述する（２）の処理（変換処理）によって、電波に基づく信号を電力に変換させる。なお、ユーザ操作の検出結果と自装置の動きに係る検出結果とに基づく処理の具体例については、後述する。
【００４７】
例えば上記のように自装置の状態が判定される場合であっても、本実施形態に係る電波電力回収装置は、自装置の状態に係る判定結果に基づいて、電波に基づく信号を処理させるか、電波に基づく信号を電力に変換させるかを切り換えることができる。したがって、例えば上記のように自装置の状態が判定される場合であっても、本実施形態に係る電波電力回収装置では、既存の装置やシステムにおいて捨てられていた電波に基づく信号（電波資源）を、電力として有効活用することができる。
【００４８】
本実施形態に係る電波電力回収装置は、例えば、上記（１−１）に示す第１の例に係る切り換え処理、上記（１−２）に示す第２の例に係る切り換え処理、または、上記（１−３）に示す第３の例に係る切り換え処理を行うことによって、伝達される電波に基づく信号を処理させるか、当該電波に基づく信号を電力に変換させるかを切り換える。
【００４９】
（２）変換処理
本実施形態に係る電波電力回収装置は、電波に基づく信号を電力に変換させる場合（上記（１）の処理（切り換え処理）において電波に基づく信号を電力に変換させるように切り換えられた場合）に、電波に基づく信号を電力に変換する。
【００５０】
より具体的には、本実施形態に係る電波電力回収装置は、例えば、変換処理として電波に基づく信号を整流することによって、電波に基づく信号を直流電力に変換する。なお、本実施形態に係る電波電力回収装置は、例えば、変換処理を行うことによって、電波に基づく信号を交流電力に変換してもよい。
【００５１】
本実施形態に係る電波電力回収装置は、例えば上記（１）の処理（切り換え処理）、および上記（２）の処理（変換処理）を、本実施形態に係る電波電力回収方法に係る処理として行う。
【００５２】
本実施形態に係る電波電力回収装置が、上記（１）の処理（切り換え処理）において電波に基づく信号を処理させるように切り換えた場合には、電波に基づく信号は、電波に基づく信号を処理する外部装置、または、自装置において処理される。また、本実施形態に係る電波電力回収装置が、上記（１）の処理（切り換え処理）において電波に基づく信号を電力に変換させるように切り換えた場合には、電波に基づく信号は、上記（２）の処理（変換処理）によって、電力に変換される。つまり、本実施形態に係る電波電力回収装置は、上記（１）の処理（切り換え処理）の結果に応じて、選択的に電波に基づく信号を電力に変換する。
【００５３】
ここで、本実施形態に係る電波電力回収装置は、上記（１）の処理（切り換え処理）において、例えば、電波に基づく信号を処理する外部装置の物理的な接続状態や、電波に基づく信号を処理する外部装置から送信される制御信号、自装置の状態に係る判定結果に基づいて、電波に基づく信号を処理させるか、電波に基づく信号を電力に変換させるかを切り換える。よって、本実施形態に係る電波電力回収装置では、既存の装置やシステムにおいて捨てられていた電波に基づく信号（電波資源）を、電力として有効活用することができる。
【００５４】
したがって、本実施形態に係る電波電力回収装置は、例えば上記（１）の処理（切り換え処理）、および上記（２）の処理（変換処理）を、本実施形態に係る電波電力回収方法に係る処理として行うことにより、選択的に電波に基づく信号を電力に変換して、電波資源の有効活用を図ることができる。
【００５５】
（本実施形態に係る電波電力回収装置）
次に、上述した本実施形態に係る電波電力回収方法に係る処理を行うことが可能な、本実施形態に係る電波電力回収装置の構成の一例について説明する。以下では、本実施形態に係る電波電力回収装置を、総称して「電波電力回収装置１００」と示す場合がある。
【００５６】
［１］第１の実施形態に係る電波電力回収装置
図１は、第１の実施形態に係る電波電力回収装置１００Ａの構成の一例を示すブロック図である。図１は、上記（１−１）に示す第１の例に係る切り換え処理と、上記（２）の処理（変換処理）とを行う場合における、電波電力回収装置１００の構成の一例を示している。
【００５７】
ここで、図１では、電波を受信するアンテナ２００と、電波に基づく信号を処理する機器３００（電波に基づく信号を処理する外部装置）と、電波電力回収装置１００Ａが変換した電力を蓄電することが可能な蓄電装置４００とを併せて示している。蓄電装置４００としては、例えば、リチウムイオン二次電池やリチウムイオンポリマー二次電池などの二次電池が挙げられる。
【００５８】
電波電力回収装置１００Ａは、例えば、切り換え部１０２Ａと、変換部１０４とを備える。
【００５９】
切り換え部１０２Ａは、上記（１）の処理（切り換え処理）を行う役目を果たし、電波に基づく信号が伝達され、電波に基づく信号を処理させるか、電波に基づく信号を電力に変換させるかを切り換える。
【００６０】
より具体的には、切り換え部１０２Ａは、上記（１−１）に示す第１の例に係る切り換え処理を行う役目を果たし、機器３００（電波に基づく信号を処理する外部装置）の物理的な接続状態に基づいて、電波に基づく信号を処理させるか、電波に基づく信号を電力に変換させるかを切り換える。つまり、切り換え部１０２Ａは、機器３００（電波に基づく信号を処理する外部装置）の物理的な接続が検出された場合には、電波に基づく信号を機器３００へと出力して、機器３００に電波に基づく信号を処理させる。また、切り換え部１０２Ａは、機器３００（電波に基づく信号を処理する外部装置）の物理的な接続が検出されない場合には、変換部１０４に電波に基づく信号を伝達して、電波に基づく信号を電力に変換させる。
【００６１】
切り換え部１０２Ａは、例えば、ジャック１５０と、メカスイッチ１５２とを備える。
【００６２】
ジャック１５０には、信号線の先端部分に設けられたプラグ（図示せず）が挿抜される。メカスイッチ１５２は、ジャック１５０におけるプラグ（図示せず）の挿抜状態、すなわち、ジャック１５０への信号線の接続状態に基づいて、アンテナ２００から伝達される電波に基づく信号の伝達先を切り換える。
【００６３】
例えば、ジャック１５０にプラグ（図示せず）が挿入された場合、すなわち、ジャック１５０に接続された信号線を介して機器３００が接続されている場合には、メカスイッチ１５２は、信号経路をジャック１５０側に設定して、電波に基づく信号をジャック１５０へと伝達する。つまり、ジャック１５０にプラグ（図示せず）が挿入された場合には、ジャック１５０に接続された信号線を介して、電波に基づく信号が機器３００へと出力される。
【００６４】
また、例えば、ジャック１５０にプラグ（図示せず）が挿入されていない場合、すなわち、ジャック１５０に接続された信号線を介して機器３００が接続されていない場合には、メカスイッチ１５２は、信号経路を変換部１０４側に設定して、電波に基づく信号を変換部１０４へと伝達する。
【００６５】
ここで、メカスイッチ１５２は、上記のような信号経路の切り換えが可能な任意の機構で構成される。
【００６６】
切り換え部１０２Ａは、例えば、ジャック１５０と、メカスイッチ１５２とを備えることによって、機器３００（電波に基づく信号を処理する外部装置）の物理的な接続状態に基づいて、電波に基づく信号を処理させるか、電波に基づく信号を電力に変換させるかを切り換える。
【００６７】
変換部１０４は、上記（２）の処理（変換処理）を行う役目を果たし、電波に基づく信号を電力に変換する。
【００６８】
変換部１０４は、例えば、整流回路１５４を備え、切り換え部１０２Ａ（より厳密には、メカスイッチ１５２）から伝達される電波に基づく信号を整流して、直流信号を出力する。
【００６９】
なお、本実施形態に係る変換部１０４の構成は、図１に示す構成に限られない。例えば、本実施形態に係る変換部１０４は、インバータやトランスなどを備え、交流信号を出力する構成であってもよい。以下では、本実施形態に係る変換部１０４が、図１に示すように、直流信号を出力する場合を例に挙げて説明する。
【００７０】
第１の実施形態に係る電波電力回収装置１００Ａは、例えば図１に示す構成によって、上記（１−１）に示す第１の例に係る切り換え処理、および上記（２）の処理（変換処理）を行う。したがって、電波電力回収装置１００Ａは、例えば図１に示す構成によって、選択的に電波に基づく信号を電力に変換して、電波資源の有効活用を図ることができる。
【００７１】
なお、第１の実施形態に係る電波電力回収装置の構成は、図１に示す構成に限られない。
【００７２】
例えば、第１の実施形態に係る電波電力回収装置は、図１に示すアンテナ２００を備えていてもよい。アンテナ２００を備える場合、第１の実施形態に係る電波電力回収装置の切り換え部１０２Ａには、備えていいるアンテナ２００において受信された電波に基づく信号が伝達される。よって、アンテナ２００を備える場合であっても、第１の実施形態に係る電波電力回収装置は、図１に示す構成と同様の効果を奏することができる。
【００７３】
また、第１の実施形態に係る電波電力回収装置は、例えば、図１に示す蓄電装置４００に該当する蓄電部（図示せず）を備えていてもよい。蓄電部（図示せず）を備える場合、第１の実施形態に係る電波電力回収装置の蓄電部（図示せず）には、変換部１０４において変換された電力が蓄電される。
【００７４】
［２］第２の実施形態に係る電波電力回収装置
図２は、第２の実施形態に係る電波電力回収装置１００Ｂの構成の一例を示すブロック図である。図２は、上記（１−２）に示す第２の例に係る切り換え処理と、上記（２）の処理（変換処理）とを行う場合における、電波電力回収装置１００の構成の一例を示している。
【００７５】
ここで、図２では、図１と同様に、電波を受信するアンテナ２００と、電波に基づく信号を処理する機器３００（電波に基づく信号を処理する外部装置）と、電波電力回収装置１００Ａが変換した電力を蓄電することが可能な蓄電装置４００とを併せて示している。
【００７６】
電波電力回収装置１００Ｂは、例えば、切り換え部１０２Ｂと、変換部１０４とを備える。
【００７７】
切り換え部１０２Ｂは、上記（１）の処理（切り換え処理）を行う役目を果たし、電波に基づく信号が伝達され、電波に基づく信号を処理させるか、電波に基づく信号を電力に変換させるかを切り換える。
【００７８】
より具体的には、切り換え部１０２Ｂは、上記（１−２）に示す第２の例に係る切り換え処理を行う役目を果たし、機器３００（電波に基づく信号を処理する外部装置）から送信される制御信号に基づいて、電波に基づく信号を処理させるか、電波に基づく信号を電力に変換させるかを切り換える。つまり、切り換え部１０２Ｂは、電波に基づく信号を処理することを示す制御信号が受信された場合には、電波に基づく信号を機器３００（電波に基づく信号を処理する外部装置）へと出力して、機器３００に電波に基づく信号を処理させる。また、切り換え部１０２Ｂは、電波に基づく信号を処理しないことを示す制御信号が受信された場合には、変換部１０４に電波に基づく信号を伝達して、電波に基づく信号を電力に変換させる。
【００７９】
切り換え部１０２Ｂは、例えば、ジャック１５０と、バイアス回路１５６と、スイッチ１５８と、スイッチ１６０とを備える。
【００８０】
バイアス回路１５６は、例えば、ジャック１５０に接続された信号線を介して機器３００から受信した制御信号に基づいて、電波に基づく信号を処理することを示す制御信号が受信された場合に、バイアス信号（例えばバイアス電圧信号）を、スイッチ１５８とスイッチ１６０とにそれぞれ伝達する。
【００８１】
また、バイアス回路１５６は、スイッチ１５８から電波に基づく信号が伝達された場合には、伝達された電波に基づく信号をジャック１５０へと伝達する。つまり、スイッチ１５８から電波に基づく信号が伝達された場合には、ジャック１５０に接続された信号線を介して、電波に基づく信号が機器３００へと出力される。
【００８２】
スイッチ１５８は、例えばノーマリーオフ型のスイッチであり、バイアス回路１５６から伝達されるバイアス信号に基づいて、選択的にオン状態となる。つまり、スイッチ１５８は、電波に基づく信号を処理することを示す制御信号が受信されない場合には、オフ状態となり、アンテナから伝達される電波に基づく信号を、バイアス回路１５６に伝達しない。また、スイッチ１５８は、電波に基づく信号を処理することを示す制御信号が受信された場合に、オン状態となり、アンテナから伝達される電波に基づく信号を、バイアス回路１５６に伝達する。
【００８３】
スイッチ１６０は、例えばノーマリーオン型のスイッチであり、バイアス回路１５６から伝達されるバイアス信号に基づいて、選択的にオフ状態となる。つまり、スイッチ１６０は、電波に基づく信号を処理することを示す制御信号が受信されない場合には、オン状態となり、アンテナから伝達される電波に基づく信号を、変換部１０４へと伝達する。また、スイッチ１６０は、電波に基づく信号を処理することを示す制御信号が受信された場合に、オフ状態となり、アンテナから伝達される電波に基づく信号を、変換部１０４へと伝達しない。
【００８４】
ここで、スイッチ１５８とスイッチ１６０とは、例えば、ＦＥＴ（Field  effect  transistor）や、ＭＥＭＳ（Micro  Electro  Mechanical  Systems）で構成される。
【００８５】
切り換え部１０２Ｂは、例えば、ジャック１５０と、バイアス回路１５６と、スイッチ１５８と、スイッチ１６０とを備えることによって、機器３００（電波に基づく信号を処理する外部装置）から送信される制御信号に基づいて、電波に基づく信号を処理させるか、電波に基づく信号を電力に変換させるかを切り換える。
【００８６】
なお、図２では、スイッチ１５８がノーマリーオフ型のスイッチであり、スイッチ１６０がノーマリーオン型のスイッチである例を示しているが、第２の実施形態に係る切り換え部を構成するスイッチは、図２に示す例に限られない。例えば、第２の実施形態に係る切り換え部を構成するスイッチは、スイッチ１５８がノーマリーオン型のスイッチであり、スイッチ１６０がノーマリーオフ型のスイッチであってもよい。例えば、スイッチ１５８がノーマリーオン型のスイッチであり、スイッチ１６０がノーマリーオフ型のスイッチである場合であっても、第２の実施形態に係る切り換え部は、機器３００（電波に基づく信号を処理する外部装置）から送信される制御信号に基づいて、電波に基づく信号を処理させるか、電波に基づく信号を電力に変換させるかを切り換えることが可能である。
【００８７】
変換部１０４は、図１に示す変換部１０４と同様に、上記（２）の処理（変換処理）を行う役目を果たし、電波に基づく信号を電力に変換する。
【００８８】
第２の実施形態に係る電波電力回収装置１００Ｂは、例えば図２に示す構成によって、上記（１−２）に示す第２の例に係る切り換え処理、および上記（２）の処理（変換処理）を行う。したがって、電波電力回収装置１００Ｂは、例えば図２に示す構成によって、選択的に電波に基づく信号を電力に変換して、電波資源の有効活用を図ることができる。
【００８９】
なお、第２の実施形態に係る電波電力回収装置の構成は、図２に示す構成に限られない。
【００９０】
例えば、第２の実施形態に係る電波電力回収装置は、第１の実施形態に係る電波電力回収装置と同様に、図２に示すアンテナ２００を備えていてもよい。
【００９１】
また、第２の実施形態に係る電波電力回収装置は、第１の実施形態に係る電波電力回収装置と同様に、例えば、図２に示す蓄電装置４００に該当する蓄電部（図示せず）を備えていてもよい。
【００９２】
また、第２の実施形態に係る電波電力回収装置は、例えば、アンテナ同軸端子などのアンテナにより受信された電波に基づく信号が伝達されうる端子に接続するための接続部（図示せず）を備えていてもよい。
【００９３】
［３］第３の実施形態に係る電波電力回収装置
図３は、第３の実施形態に係る電波電力回収装置１００Ｃの構成の一例を示すブロック図である。図３は、上記（１−３）に示す第３の例に係る切り換え処理と、上記（２）の処理（変換処理）とを行う場合における、電波電力回収装置１００の構成の一例を示している。
【００９４】
電波電力回収装置１００Ｃは、例えば、切り換え部１０２Ｃと、変換部１０４と、アンテナ１０６と、処理部１０８と、蓄電部１１０とを備える。
【００９５】
また、電波電力回収装置１００Ｃは、例えば、電波電力回収装置１００Ｃ全体を制御する制御部（図示せず）や、ＲＯＭ（Read  Only  Memory。図示せず）、ＲＡＭ（Random  Access  Memory。図示せず）、記憶部（図示せず）、ユーザが操作可能な操作部（図示せず）、様々な画面を表示画面に表示する表示部（図示せず）、電波電力回収装置１００Ｃの動きを検出する検出部（図示せず）などを備えていてもよい。電波電力回収装置１００Ｃは、例えば、データの伝送路としてのバス（bus）により上記各構成要素間を接続する。
【００９６】
ここで、制御部（図示せず）は、例えば、ＭＰＵ（Micro  Processing  Unit）や、各種処理回路などで構成される。また、制御部（図示せず）は、切り換え部１０２Ｃの一部（例えば、後述する判定部１６２）や、処理部１０８の役目を果たしてもよい。
【００９７】
ＲＯＭ（図示せず）は、制御部（図示せず）や処理部１０８が使用するプログラムや演算パラメータなどの制御用データを記憶する。ＲＡＭ（図示せず）は、制御部（図示せず）や処理部１０８により実行されるプログラムなどを一時的に記憶する。
【００９８】
記憶部（図示せず）は、電波電力回収装置１００Ｃが備える記憶手段であり、例えば、アプリケーションなど様々なデータを記憶する。ここで、記憶部（図示せず）としては、例えば、ハードディスク（Hard  Disk）などの磁気記録媒体や、ＥＥＰＲＯＭ（Electrically  Erasable  and  Programmable  Read  Only  Memory）、フラッシュメモリ（flash  memory）などの不揮発性メモリ（nonvolatile  memory）などが挙げられる。また、記憶部（図示せず）は、電波電力回収装置１００Ｃから着脱可能であってもよい。
【００９９】
操作部（図示せず）は、電波電力回収装置１００Ｃが備える操作手段である。操作部（図示せず）としては、例えば、ボタン、方向キー、ジョグダイヤルなどの回転型セレクター、あるいは、これらの組み合わせなどが挙げられる。
【０１００】
表示部（図示せず）は、電波電力回収装置１００Ｃが備える表示手段である。表示部（図示せず）としては、例えば、液晶ディスプレイ（Liquid  Crystal  Display）や有機ＥＬディスプレイ（Organic  ElectroLuminescence  display。または、ＯＬＥＤディスプレイ（Organic  Light  Emitting  Diode  display）ともよばれる。）などが挙げられる。なお、表示部（図示せず）は、例えばタッチスクリーンなど、表示とユーザ操作とが可能なデバイスであってもよい。
【０１０１】
検出部（図示せず）は、電波電力回収装置１００Ｃが備える動きの検出手段である。検出部（図示せず）としては、例えば、振動センサや、加速度センサ、角速度センサなどの動きを検出可能な１または２以上のセンサが挙げられる。
【０１０２】
切り換え部１０２Ｃは、上記（１）の処理（切り換え処理）を行う役目を果たし、電波に基づく信号が伝達され、電波に基づく信号を処理させるか、電波に基づく信号を電力に変換させるかを切り換える。
【０１０３】
より具体的には、切り換え部１０２Ｃは、上記（１−３）に示す第２の例に係る切り換え処理を行う役目を果たし、自装置の状態を判定し、判定結果に基づいて、電波に基づく信号を処理させるか、電波に基づく信号を電力に変換させるかを切り換える。
【０１０４】
切り換え部１０２Ｃは、例えば、スイッチ１５８と、スイッチ１６０と、判定部１６２とを備える。
【０１０５】
判定部１６２は、自装置の状態を判定する。そして、判定部１６２は、判定結果に基づいて、蓄電部１１０に、スイッチングを制御するための電圧信号を、スイッチ１５８とスイッチ１６０とにそれぞれ伝達させる。
【０１０６】
〔Ａ〕判定部１６２における判定処理の第１の例
判定部１６２は、自装置の電源がオン状態であるか、または、自装置の電源がオフ状態であるかを、自装置の状態として判定する。
【０１０７】
電源がオン状態であると判定された場合には、判定部１６２は、スイッチ１５８をオン状態とさせ、スイッチ１６０をオフ状態とさせるための電圧信号を、蓄電部１１０に出力させる。つまり、電源がオン状態であると判定された場合には、スイッチ１５８は、オン状態となり、アンテナから伝達される電波に基づく信号を、処理部１０８に伝達し、また、スイッチ１６０は、オフ状態となり、アンテナから伝達される電波に基づく信号を、変換部１０４へと伝達しない。
【０１０８】
よって、電源がオン状態であると判定された場合には、切り換え部１０２Ｃは、電波に基づく信号を処理部１０８に伝達して、処理部１０８に電波に基づく信号を処理させる。
【０１０９】
また、電源がオフ状態であると判定された場合には、判定部１６２は、スイッチ１５８をオン状態とさせ、スイッチ１６０をオフ状態とさせるための電圧信号を、蓄電部１１０に出力させない。つまり、電源がオフ状態であると判定された場合には、スイッチ１５８は、オフ状態となり、アンテナから伝達される電波に基づく信号を、処理部１０８に伝達せず、また、スイッチ１６０は、オン状態となり、アンテナから伝達される電波に基づく信号を、変換部１０４へと伝達する。
【０１１０】
よって、電源がオフ状態であると判定された場合には、切り換え部１０２Ｃは、変換部１０４に電波に基づく信号を伝達して、電波に基づく信号を電力に変換させる。
【０１１１】
判定部１６２が、自装置の電源がオン状態であるか、または、自装置の電源がオフ状態であるかを、自装置の状態として判定する場合には、切り換え部１０２Ｃは、例えば上記のように、電波に基づく信号を処理させるか、電波に基づく信号を電力に変換させるかを切り換える。
【０１１２】
なお、判定部１６２が、自装置の電源がオン状態であるか、または、自装置の電源がオフ状態であるかを、自装置の状態として判定する場合における処理は、上記に限られない。
【０１１３】
例えば、判定部１６２は、電源がオン状態であると判定された場合において、定期的または非定期的に、スイッチ１５８をオン状態とさせ、スイッチ１６０をオフ状態とさせるための電圧信号を、蓄電部１１０に出力させてもよい。判定部１６２は、例えば、ＲＯＭ（図示せず）や記憶部（図示せず）などに記憶されている、上記（２）の処理（変換処理）を行うための時間を規定するタイムスロットを示すタイムスロット情報（データ）に基づいて、上記電圧信号を蓄電部１１０に出力させる。
【０１１４】
定期的または非定期的に、スイッチ１５８をオン状態とさせ、スイッチ１６０をオフ状態とさせるための電圧信号を、蓄電部１１０に出力させる場合には、スイッチ１５８は、定期的または非定期的にオン状態となり、アンテナから伝達される電波に基づく信号を、処理部１０８に伝達し、また、スイッチ１６０は、定期的または非定期的にオフ状態となり、アンテナから伝達される電波に基づく信号を、変換部１０４へと伝達しない。
【０１１５】
よって、判定部１６２が、電源がオン状態であると判定された場合において、定期的または非定期的に、スイッチ１５８をオン状態とさせ、スイッチ１６０をオフ状態とさせるための電圧信号を、蓄電部１１０に出力させる場合には、切り換え部１０２Ｃは、電源がオン状態のときに定期的または非定期的に変換部１０４に電波に基づく信号を伝達して、電波に基づく信号を電力に変換させる。
【０１１６】
〔Ｂ〕判定部１６２における判定処理の第２の例
判定部１６２は、処理部１０８における処理の状態を自装置の状態として判定する。
【０１１７】
より具体的には、判定部１６２は、例えば、ユーザ操作が検出されたか否かに基づいて、処理部１０８における処理の状態を判定する。判定部１６２は、例えば、操作部（図示せず）から伝達されるユーザ操作に基づく操作信号が検出された場合に、ユーザ操作が検出されたと判定する。また、判定部１６２は、ユーザ操作が検出されたと判定された場合には、例えば、操作信号が検出されないときであっても、設定されている所定の時間内は、ユーザ操作が検出されたと判定された状態を維持する。
【０１１８】
ユーザ操作が検出されたと判定された場合には、判定部１６２は、処理部（後述する）が処理を行う状態であると判定する。そして、判定部１６２は、スイッチ１５８をオン状態とさせ、スイッチ１６０をオフ状態とさせるための電圧信号を、蓄電部１１０に出力させる。つまり、ユーザ操作が検出されたと判定された場合には、スイッチ１５８は、オン状態となり、アンテナから伝達される電波に基づく信号を、処理部１０８に伝達し、また、スイッチ１６０は、オフ状態となり、アンテナから伝達される電波に基づく信号を、変換部１０４へと伝達しない。
【０１１９】
よって、ユーザ操作が検出されたと判定された場合には、切り換え部１０２Ｃは、電波に基づく信号を処理部１０８に伝達して、処理部１０８に電波に基づく信号を処理させる。
【０１２０】
また、ユーザ操作が検出されたと判定されない場合には、判定部１６２は、処理部１０８が処理を行う状態ではないと判定する。そして、判定部１６２は、スイッチ１５８をオン状態とさせ、スイッチ１６０をオフ状態とさせるための電圧信号を、蓄電部１１０に出力させない。つまり、ユーザ操作が検出されたと判定されない場合には、スイッチ１５８は、オフ状態となり、アンテナから伝達される電波に基づく信号を、処理部１０８に伝達せず、また、スイッチ１６０は、オン状態となり、アンテナから伝達される電波に基づく信号を、変換部１０４へと伝達する。
【０１２１】
よって、ユーザ操作が検出されたと判定されない場合には、切り換え部１０２Ｃは、変換部１０４に電波に基づく信号を伝達して、電波に基づく信号を電力に変換させる。
【０１２２】
判定部１６２が、処理部１０８における処理の状態を自装置の状態として判定する場合には、切り換え部１０２Ｃは、例えば上記のように、電波に基づく信号を処理させるか、電波に基づく信号を電力に変換させるかを切り換える。
【０１２３】
〔Ｃ〕判定部１６２における判定処理の第３の例
判定部１６２は、処理部１０８における処理の状態、および、自装置の動きの状態に基づいて、自装置の状態を判定する。
【０１２４】
図４は、第３の実施形態に係る電波電力回収装置１００Ｃが備える切り換え部１０２Ｃにおける判定処理の一例を示す流れ図である。ここで、図４は、切り換え部１０２Ｃが備える判定部１６２における処理の一例を示している。以下では、図４に示す処理を、判定部１６２が行う場合を例に挙げて説明する。
【０１２５】
判定部１６２は、ユーザ操作が検出されたか否かを判定する（Ｓ１００）。判定部１６２は、例えば、操作部（図示せず）からユーザ操作に基づく操作信号が伝達された場合に、ユーザ操作が検出されたと判定する。
【０１２６】
ステップＳ１００においてユーザ操作が検出されたと判定された場合には、判定部１６２は、後述するステップＳ１１０の処理を行う。
【０１２７】
また、ステップＳ１００においてユーザ操作が検出されたと判定されない場合には、判定部１６２は、動きが検出されたか否かを判定する（Ｓ１０２）。判定部１６２は、例えば、検出部（図示せず）から動きの検出結果を示す検出信号が伝達された場合に、動きが検出されたと判定する。
【０１２８】
ステップＳ１０２において動きが検出されたと判定された場合には、判定部１６２は、後述するステップＳ１１０の処理を行う。
【０１２９】
また、ステップＳ１０２において動きが検出されたと判定されない場合には、判定部１６２は、設定されている一定時間、ユーザ操作および動きが検出されない状態が継続しているか否かを判定する（Ｓ１０４）。ここで、ステップＳ１０４の判定に係る上記一定時間は、例えば、予め設定されている固定値であってもよいし、ユーザなどが変更可能な可変値であってもよい。
【０１３０】
ステップＳ１０４において、ユーザ操作および動きが検出されない状態が継続していると判定された場合には、判定部１６２は、電波に基づく信号を電力に変換させる電波電力回収モードと判定する（Ｓ１０６）。
【０１３１】
ステップＳ１０６において電波電力回収モードと判定されると、判定部１６２は、電波に基づく信号を電力に変換させる（Ｓ１０８）。そして、判定部１６２は、ステップＳ１００からの処理を繰り返す。
【０１３２】
より具体的には、判定部１６２は、ステップＳ１０６において電波電力回収モードと判定された場合には、例えば、スイッチ１５８をオン状態とさせ、スイッチ１６０をオフ状態とさせるための電圧信号を、蓄電部１１０に出力させない。つまり、電波電力回収モードと判定された場合には、スイッチ１５８は、オフ状態となり、アンテナから伝達される電波に基づく信号を、処理部１０８に伝達せず、また、スイッチ１６０は、オン状態となり、アンテナから伝達される電波に基づく信号を、変換部１０４へと伝達する。
【０１３３】
ステップＳ１００においてユーザ操作が検出されたと判定された場合、ステップＳ１０２において動きが検出されたと判定された場合、または、ステップＳ１０４においてユーザ操作および動きが検出されない状態が継続していると判定された場合には、判定部１６２は、電波に基づく信号を処理させる処理モードと判定する（Ｓ１１０）。
【０１３４】
ステップＳ１０６において処理モードと判定されると、判定部１６２は、電波に基づく信号を処理させる（Ｓ１１２）。そして、判定部１６２は、ステップＳ１００からの処理を繰り返す。
【０１３５】
より具体的には、判定部１６２は、ステップＳ１０６において処理モードと判定された場合には、例えば、スイッチ１５８をオン状態とさせ、スイッチ１６０をオフ状態とさせるための電圧信号を、蓄電部１１０に出力させる。つまり、処理モードと判定された場合には、スイッチ１５８は、オン状態となり、アンテナから伝達される電波に基づく信号を、処理部１０８に伝達し、また、スイッチ１６０は、オフ状態となり、アンテナから伝達される電波に基づく信号を、変換部１０４へと伝達しない。
【０１３６】
判定部１６２は、第３の例に係る判定処理として、例えば図４に示す処理を行う。判定部１６２が例えば図４に示す処理を行うことによって、切り換え部１０２Ｃは、処理部１０８における処理の状態および自装置の動きの状態に基づく、自装置の状態の判定結果に基づいて、電波に基づく信号を処理させるか、電波に基づく信号を電力に変換させるかを切り換えることができる。
【０１３７】
再度図３を参照して、第３の実施形態に係る電波電力回収装置１００Ｃの構成の一例について説明する。スイッチ１５８は、例えばノーマリーオフ型のスイッチであり、蓄電部１１０から伝達される電圧信号に基づいて、選択的にオン状態となる。つまり、スイッチ１５８は、判定部１６２の判定結果に基づいて電圧信号が伝達されない場合には、オフ状態となり、アンテナから伝達される電波に基づく信号を、処理部１０８に伝達しない。また、スイッチ１５８は、判定部１６２の判定結果に基づいて電圧信号が伝達された場合に、オン状態となり、アンテナから伝達される電波に基づく信号を、処理部１０８に伝達する。
【０１３８】
スイッチ１６０は、例えばノーマリーオン型のスイッチであり、蓄電部１１０から伝達される電圧信号に基づいて、選択的にオフ状態となる。つまり、スイッチ１６０は、判定部１６２の判定結果に基づいて電圧信号が伝達されない場合には、オン状態となり、アンテナから伝達される電波に基づく信号を、変換部１０４へと伝達する。また、スイッチ１６０は、判定部１６２の判定結果に基づいて電圧信号が伝達された場合に、オフ状態となり、アンテナから伝達される電波に基づく信号を、変換部１０４へと伝達しない。
【０１３９】
切り換え部１０２Ｃは、例えば、スイッチ１５８と、スイッチ１６０と、判定部１６２とを備えることによって、自装置の状態を判定し、判定結果に基づいて、電波に基づく信号を処理させるか、電波に基づく信号を電力に変換させるかを切り換える。
【０１４０】
なお、図３では、スイッチ１５８がノーマリーオフ型のスイッチであり、スイッチ１６０がノーマリーオン型のスイッチである例を示しているが、第３の実施形態に係る切り換え部を構成するスイッチは、図３に示す例に限られない。例えば、第３の実施形態に係る切り換え部を構成するスイッチは、スイッチ１５８がノーマリーオン型のスイッチであり、スイッチ１６０がノーマリーオフ型のスイッチであってもよい。例えば、スイッチ１５８がノーマリーオン型のスイッチであり、スイッチ１６０がノーマリーオフ型のスイッチである場合であっても、第３の実施形態に係る切り換え部は、自装置の状態の判定結果に基づいて、電波に基づく信号を処理させるか、電波に基づく信号を電力に変換させるかを切り換えることが可能である。
【０１４１】
変換部１０４は、図１に示す変換部１０４と同様に、上記（２）の処理（変換処理）を行う役目を果たし、電波に基づく信号を電力に変換する。
【０１４２】
アンテナ１０６は、電波を受信し、受信した電波に基づく信号（例えば、ＲＦ（Radio  Frequency）信号など）を切り換え部１０２Ｃへ伝達する。また、アンテナ１０６は、例えば、処理部１０８から切り換え部１０２Ｃを介して送信信号が伝達された場合には、伝達される送信信号に応じた電波を送信することも可能である。
【０１４３】
処理部１０８は、切り換え部１０２Ｃを介して伝達される、アンテナ１０６により受信された電波に基づく信号を処理する。ここで、処理部１０８における電波に基づく信号の処理としては、例えば、外部装置と間の通信に係る処理や、電波に基づく信号が示す画像（動画像／静止画像）を表示画面に表示させる表示処理など、様々な処理が挙げられる。また、処理部１０８が外部装置と間の通信に係る処理を行う場合、処理部１０８は、例えば、送信信号を、切り換え部１０２Ｃを介してアンテナ１０６から送信させてもよい。
【０１４４】
蓄電部１１０は、変換部１０４が変換した電力を蓄電する。蓄電部１１０に蓄電された電力は、例えば、制御部（図示せず）や、処理部１０８、判定部１６２などの、電波電力回収装置１００Ｃの各構成要素の駆動に用いられる。また、蓄電部１１０は、例えば、切り換え部１０２Ｃの判定部１６２により制御され、判定部１６２から伝達される出力命令に応じて、電圧信号をスイッチ１５８とスイッチ１６０とに出力する。ここで、蓄電部１１０としては、例えば、リチウムイオン二次電池やリチウムイオンポリマー二次電池などの二次電池が挙げられる。
【０１４５】
第３の実施形態に係る電波電力回収装置１００Ｃは、例えば図３に示す構成によって、上記（１−３）に示す第３の例に係る切り換え処理、および上記（２）の処理（変換処理）を行う。したがって、電波電力回収装置１００Ｃは、例えば図３に示す構成によって、選択的に電波に基づく信号を電力に変換して、電波資源の有効活用を図ることができる。
【０１４６】
なお、第３の実施形態に係る電波電力回収装置の構成は、図３に示す構成に限られない。
【０１４７】
例えば、第３の実施形態に係る電波電力回収装置は、図１に示す第１の実施形態に係る電波電力回収装置１００Ａや、図２に示す第２の実施形態に係る電波電力回収装置１００Ｂと同様に、アンテナ１０６を備えず、外部のアンテナ２００から伝達される電波に基づく信号を処理する構成であってもよい。また、アンテナ１０６を備えず、外部のアンテナ２００から伝達される電波に基づく信号を処理する構成である場合、第３の実施形態に係る電波電力回収装置は、例えば、アンテナ同軸端子などのアンテナにより受信された電波に基づく信号が伝達されうる端子に接続するための接続部（図示せず）を備えていてもよい。
【０１４８】
また、第３の実施形態に係る電波電力回収装置は、図１に示す第１の実施形態に係る電波電力回収装置１００Ａや、図２に示す第２の実施形態に係る電波電力回収装置１００Ｂと同様に、蓄電部１１０を備えず、外部の蓄電装置４００に、変換した電力を蓄電させてもよい。
【０１４９】
本実施形態に係る電波電力回収装置１００は、例えば、上記第１の実施形態に係る電波電力回収装置〜第３の実施形態に係る電波電力回収装置に示す構成によって、本実施形態に係る電波電力回収方法に係る処理を行う。なお、本実施形態に係る電波電力回収装置１００の構成が、上記第１の実施形態に係る電波電力回収装置〜第３の実施形態に係る電波電力回収装置に示す構成に限られないことは、言うまでもない。
【０１５０】
（本実施形態に係る電波電力回収システム）
上記では、本実施形態に係る電波電力回収方法に係る処理を行うことが可能な、本実施形態に係る電波電力回収装置の構成の一例について説明した。しかしながら、本実施形態に係る電波電力回収方法に係る処理は、１つの装置によって実現されることに限られず、複数の装置で構成されるシステムによって、実現することも可能である。そこで、次に、上述した本実施形態に係る電波電力回収方法に係る処理を行うことが可能な、本実施形態に係る電波電力回収システムの構成の一例について説明する。
【０１５１】
図５は、本実施形態に係る電波電力回収システム１０００の構成の一例を示す説明図である。ここで、図５では、電波を受信するアンテナ２００と、電波に基づく信号を処理する機器３００Ａ、…、３００ｎ（ｎは、１以上の整数。以下、総称して「機器３００」と示す場合がある。）と、電波電力回収システム１０００が変換した電力を蓄電することが可能な蓄電装置４００とを併せて示している。
【０１５２】
電波電力回収システム１０００は、切り換え装置５００Ａ、５００Ｂ、…、５００ｍ（ｍは、１以上の整数。以下、総称して「切り換え装置５００」と示す場合がある。）と、変換装置６００とを有する。
【０１５３】
切り換え装置５００は、上記（１）の処理（切り換え処理）を行う役目を果たし、アンテナ２００の分配器により分配された電波に基づく信号が伝達され、電波に基づく信号を処理させるか、電波に基づく信号を電力に変換させるかを切り換える。
【０１５４】
より具体的には、切り換え装置５００は、例えば、図１に示す切り換え部１０２Ａ、または、図２に示す切り換え部１０２Ｂに示す構成を備える。そして、切り換え装置５００は、例えば、機器３００（電波に基づく信号を処理する外部装置）の物理的な接続状態、または、機器３００（電波に基づく信号を処理する外部装置）から送信される制御信号に基づいて、電波に基づく信号を処理させるか、電波に基づく信号を電力に変換させるかを切り換える。
【０１５５】
電波に基づく信号を処理させる場合には、切り換え装置５００は、電波に基づく信号を機器３００へ出力する。また、電波に基づく信号を電力に変換させる合には、切り換え装置５００は、電波に基づく信号を変換装置６００へ出力する。
【０１５６】
変換装置６００は、上記（２）の処理（変換処理）を行う役目を果たし、切り換え装置５００それぞれから伝達される電波に基づく信号を、電力に変換する。
【０１５７】
変換装置６００は、例えば、同相合成器６０２と、整流回路１５４とを備える。
【０１５８】
同相合成器６０２は、切り換え装置５００それぞれから伝達される電波に基づく信号の位相を、所定の位相の信号に変換して合成する。整流回路１５４は、同相合成器６０２から伝達される合成された信号を整流して、直流信号を出力する。
【０１５９】
変換装置６００は、例えば、同相合成器６０２と、整流回路１５４とを備えることによって、切り換え装置５００それぞれから伝達される電波に基づく信号を、電力に変換する。なお、本実施形態に係る変換装置の構成は、図５に示す構成に限られない。例えば、本実施形態に係る変換装置は、インバータやトランスなどを備え、交流信号を出力する構成であってもよい。
【０１６０】
本実施形態に係る電波電力回収システム１０００では、例えば、図５に示す構成によって、本実施形態に係る電波電力回収方法に係る、例えば上記（１）の処理（切り換え処理）、および上記（２）の処理（変換処理）が行われる。したがって、例えば、図５に示す構成によって、選択的に電波に基づく信号を電力に変換して、電波資源の有効活用を図ることが可能な電波電力回収システムが実現される。
【０１６１】
なお、本実施形態に係る電波電力回収システムの構成は、図５に示す構成に限られない。例えば、本実施形態に係る電波電力回収システムは、図５に示すアンテナ２００をさらに有していてもよい。また、例えば、本実施形態に係る電波電力回収システムは、図５に示す機器３００をさらに有していてもよい。
【０１６２】
（本実施形態に係る電波電力回収方法の適用例）
以上、本実施形態として電波電力回収装置を挙げて説明したが、本実施形態は、かかる形態に限られない。例えば、本実施形態は、アンテナ同軸端子などのアンテナにより受信された電波に基づく信号が伝達されうる端子に接続可能なデバイスや、携帯電話やスマートフォンなどの通信装置や、ＰＣ（Personal  Computer）などのコンピュータ、タブレット型の装置、映像／音楽再生装置（または映像／音楽記録再生装置）、ゲーム機、デジタルスチルカメラやデジタルビデオカメラなどの撮像装置など、様々な機器に適用することができる。
【０１６３】
また、本実施形態に係る電波電力回収装置や、本実施形態に係る電波電力回収システムは、例えば下記に示すような用途に用いることが可能である。
【０１６４】
図６は、本実施形態に係る電波電力回収方法の適用例を示す説明図である。ここで、図６に示すＡは、本実施形態に係る電波電力回収方法の第１の適用例を示しており、図６に示すＢ〜Ｅは、本実施形態に係る電波電力回収方法の第２の適用例〜第５の適用例を示している。なお、図６のＣ〜Ｅに示す第３の適用例〜第５の適用例は、電波に基づく信号を変換した電力を使用する適用例を示している。
【０１６５】
（ｉ）第１の適用例
図６のＡは、第１の実施形態に係る電波電力回収装置１００Ａ、または、第２の実施形態に係る電波電力回収装置１００Ｂの適用例を示しており、電波電力回収装置１００が、充電機能付きソケットに適用された例を示している。電波電力回収装置１００が充電機能付きソケットに適用される場合には、電波電力回収装置１００は、例えば、テレビ受像機のアクセサリの一種と捉えることが可能である。
【０１６６】
電波電力回収装置１００が充電機能付きソケットに適用される場合において、例えば、ＴＶ（TeleVision）セット（電波に基づく信号を処理する外部装置）が接続されているときや、ＴＶセットから電波に基づく信号を処理することを示す制御信号が伝達されたときには、電波電力回収装置１００は、電波に基づく信号をＴＶ同軸線を介してＴＶセットへ出力する。よって、上記の場合には、ＴＶセットは、電波電力回収装置１００から取得した電波に基づく信号を処理することとなる。
【０１６７】
また、電波電力回収装置１００が充電機能付きソケットに適用される場合において、例えば、ＴＶセット（電波に基づく信号を処理する外部装置）が接続されていないときや、ＴＶセットから電波に基づく信号を処理しないことを示す制御信号が伝達されたときには、電波電力回収装置１００は、電波に基づく信号を電力に変換させてバッテリに蓄電する。よって、ユーザは、例えば、停電時や所望の時に、バッテリに蓄電された電力を他の機器の電源として使用することができる。
【０１６８】
（ｉｉ）第２の適用例
図６のＢは、本実施形態に係る電波電力回収システムの適用例を示しており、本実施形態に係る電波電力回収システムが、ビルやマンションなどの建物に適用された例を示している。
【０１６９】
例えば、アンテナにより受信された、ＤＴＶ（Digital  TeleVision）や、ＡＭ（Amplitude  Modulation）、ＦＭ（Frequency  Modulation）、Ｍｏｂｉｌｅなどの様々な電波に基づく信号は、選択的に電力に変換されてバッテリ（例えば、非常用バッテリなど）に蓄電される。
【０１７０】
（ｉｉｉ）第３の適用例
図６のＣは、本実施形態に係る電波電力回収装置１００が、セキュリティ用途に用いられる適用例を示している。また、図６のＣでは、電波電力回収装置１００が、赤外線送受信センサを備えている例を示している。
【０１７１】
例えば、電波電力回収装置１００は、窓やドアの両側に設けられているアンテナ同軸端子に接続される。電波電力回収装置１００は、アンテナ同軸端子を介して伝達される電波に基づく信号を電力に変換して、赤外線送受信センサを動作させる。よって、例えば図６のＣに示す例では、電波電力回収装置１００は、バッテリなどの別途の電源を有さない場合であっても、動作することができる。
【０１７２】
なお、窓やドアの両側に設けられているアンテナ同軸端子から伝達される電波に基づく信号が、図５に示す変換装置６００から出力される信号のように、合成された信号である場合には、電波電力回収装置１００は、より大きな電力を得ることが可能である。
【０１７３】
（ｉｖ）第４の適用例
図６のＤは、本実施形態に係る電波電力回収装置１００が、センシング用途に用いられる適用例を示している。また、図６のＤでは、電波電力回収装置１００が、センサ（温度センサや、湿度センサ、放射線センサなど）と、無線通信デバイスを備えている例を示している。
【０１７４】
例えば、電波電力回収装置１００は、壁に設けられているアンテナ同軸端子に接続される。電波電力回収装置１００は、アンテナ同軸端子を介して伝達される電波に基づく信号を電力に変換して、センサや無線通信デバイスを動作させる。センサの検出データは、無線通信デバイスを用いた無線通信によって、例えばサーバなどの管理装置へと送信される。よって、例えば図６のＤに示す例では、電波電力回収装置１００は、アンテナ同軸端子を介して伝達される電波に基づく信号が変換された電力を用いて動作するセンサノードの役目を果たすことができる。
【０１７５】
なお、壁に設けられているアンテナ同軸端子から伝達される電波に基づく信号が、図５に示す変換装置６００から出力される信号のように、合成された信号である場合には、電波電力回収装置１００は、より大きな電力を得ることが可能である。
【０１７６】
（ｖ）第５の適用例
図６のＥは、本実施形態に係る電波電力回収装置１００が、他のデバイスに対して無線または有線で電力を供給する適用例を示している。図６のＥは、例えば配電盤内に設けられる消費電力センサ（他のデバイスの一例）に対して、電波電力回収装置１００が、無線で電力を供給する例を示している。
【０１７７】
例えば、電波電力回収装置１００は、壁などに設けられているアンテナ同軸端子に接続される。電波電力回収装置１００は、アンテナ同軸端子を介して伝達される電波に基づく信号を電力に変換して、変換した電力を消費電力センサに対して無線で供給する。電波電力回収装置１００は、例えば、電磁誘導を利用した電力の伝送に係る送電デバイス、電波を利用した電力の伝送に係る送電デバイス、磁場の共鳴を利用した電力の伝送に係る送電デバイス、電場の共鳴を利用した電力の伝送に係る送電デバイスなど、無線電力伝送に係るに係る伝送デバイスを備えることによって、変換した電力を消費電力センサに対して無線で供給する。
【０１７８】
例えば図６のＥに示すように、電波に基づく信号を変換した電力を、消費電力センサなどの他のデバイスに対して供給することによって、消費電力センサなどの他のデバイスをバッテリレスとすることができる。
【０１７９】
本実施形態に係る電波電力回収方法は、例えば図６に示す適用例に適用することができる。なお、本実施形態に係る電波電力回収方法の適用例が、図６に示す例に限られないことは、言うまでもない。
【０１８０】
以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【０１８１】
なお、以下のような構成も本開示の技術的範囲に属する。
（１）
電波に基づく信号が伝達され、前記電波に基づく信号を処理させるか、前記電波に基づく信号を電力に変換させるかを切り換える切り換え部と、
前記切り換え部から前記電波に基づく信号が伝達された場合に、前記電波に基づく信号を電力に変換する変換部と、
を備える、電波電力回収装置。
（２）
前記切り換え部は、前記電波に基づく信号を処理する外部装置の物理的な接続状態に基づいて、前記電波に基づく信号を処理させるか、前記電波に基づく信号を電力に変換させるかを切り換える、（１）に記載の電波電力回収装置。
（３）
前記切り換え部は、
前記電波に基づく信号を処理する外部装置の物理的な接続が検出された場合には、前記電波に基づく信号を前記外部装置へと出力して、前記外部装置に前記電波に基づく信号を処理させ、
前記電波に基づく信号を処理する外部装置の物理的な接続が検出されない場合には、前記変換部に前記電波に基づく信号を伝達して、前記電波に基づく信号を電力に変換させる、（２）に記載の電波電力回収装置。
（４）
前記切り換え部は、前記電波に基づく信号を処理する外部装置から送信される制御信号に基づいて、前記電波に基づく信号を処理させるか、前記電波に基づく信号を電力に変換させるかを切り換える、（１）に記載の電波電力回収装置。
（５）
前記切り換え部は、
前記電波に基づく信号を処理することを示す制御信号が受信された場合には、前記電波に基づく信号を前記外部装置へと出力して、前記外部装置に前記電波に基づく信号を処理させ、
前記電波に基づく信号を処理しないことを示す制御信号が受信された場合には、前記変換部に前記電波に基づく信号を伝達して、前記電波に基づく信号を電力に変換させる、（４）に記載の電波電力回収装置。
（６）
前記切り換え部は、自装置の状態を判定し、判定結果に基づいて、前記電波に基づく信号を処理させるか、前記電波に基づく信号を電力に変換させるかを切り換える、（１）に記載の電波電力回収装置。
（７）
前記電波に基づく信号を処理する処理部をさらに備え、
前記切り換え部は、
自装置の電源がオン状態であるか、または、自装置の電源がオフ状態であるかを、前記自装置の状態として判定し、
前記オン状態であると判定された場合には、前記電波に基づく信号を前記処理部に伝達して、前記処理部に前記電波に基づく信号を処理させ、
前記オフ状態であると判定された場合には、前記変換部に前記電波に基づく信号を伝達して、前記電波に基づく信号を電力に変換させる、（６）に記載の電波電力回収装置。
（８）
前記切り換え部は、前記オン状態であると判定された場合において、定期的または非定期的に前記変換部に前記電波に基づく信号を伝達して、前記電波に基づく信号を電力に変換させる、（７）に記載の電波電力回収装置。
（９）
前記電波に基づく信号を処理する処理部をさらに備え、
前記切り換え部は、前記処理部における処理の状態を前記自装置の状態として判定し、
判定結果に基づいて、前記電波に基づく信号を前記処理部に伝達して、前記処理部に前記電波に基づく信号を処理させる、または、前記変換部に前記電波に基づく信号を伝達して、前記電波に基づく信号を電力に変換させる、（６）に記載の電波電力回収装置。
（１０）
前記切り換え部は、さらに、自装置の動きの状態に基づいて前記自装置の状態を判定し、
判定結果に基づいて、前記電波に基づく信号を前記処理部に伝達して、前記処理部に前記電波に基づく信号を処理させる、または、前記変換部に前記電波に基づく信号を伝達して、前記電波に基づく信号を電力に変換させる、（９）に記載の電波電力回収装置。
（１１）
前記変換部において変換された電力を蓄電する蓄電部をさらに備える、（１）〜（１０）のいずれか１つに記載の電波電力回収装置。
（１２）
電波を受信するアンテナをさらに備え、
前記切り換え部には、前記アンテナにおいて受信された電波に基づく信号が伝達される、（１）〜（１１）のいずれか１つに記載の電波電力回収装置。
（１３）
伝達される電波に基づく信号を処理させるか、前記電波に基づく信号を電力に変換させるかを切り換えるステップと、
前記電波に基づく信号を電力に変換させる場合に、前記電波に基づく信号を電力に変換するステップと、
を有する、電波電力回収方法。
（１４）
電波に基づく信号が伝達され、前記電波に基づく信号を処理させるか、前記電波に基づく信号を電力に変換させるかを切り換える、１または２以上の切り換え装置と、
前記電波に基づく信号を電力に変換する変換装置と、
を有し、
前記切り換え装置は、前記電波に基づく信号を電力に変換させる場合に、前記変換装置に前記電波に基づく信号を出力し、
前記変換装置は、前記電波に基づく信号が受信された場合に、前記電波に基づく信号を電力に変換する、電波電力回収システム。
【符号の説明】
【０１８２】
１００Ａ、１００Ｂ、１００Ｃ    電波電力回収装置
１０２Ａ、１０２Ｂ、１０２Ｃ    切り換え部
１０４    変換部
１０６、２００    アンテナ
１０８    処理部
１１０    蓄電部
１５０    ジャック
１５２    メカスイッチ
１５４    整流回路
１５６    バイアス回路
１５８、１６０    スイッチ
１６２    判定部
３００、３００Ａ、３００ｎ    機器
４００    蓄電装置
５００Ａ、５００Ｂ、５００ｍ    切り換え装置
６００    変換装置
６０２    同相合成器
１０００  電波電力回収システム
【図１】
2014039392.tif 000003
【図２】
2014039392.tif 000004
【図３】
2014039392.tif 000005
【図４】
2014039392.tif 000006
【図５】
2014039392.tif 000007
【図６】
2014039392.tif 000008